(57)【要約】【課題】エジェクタに接続されている吸入流体導入管に取り付けられる流体の吸入量を調整する流量調整弁をなくし、エジェクタを備えた装置をコンパクトにする。【解決手段】管状に形成されるとともに、高圧の液体が流入する流入部１と、液体を流出する流出部２が長手方向に直線状に配置され、流入部１と流出部２の結合部分に流入部１および流出部２の長手方向に直交する断面積よりも小さい断面積を有する絞り部３が形成され、絞り部３に吸入される流体を導入する、流量調整弁を備えない吸入流体導入管４が接続されるとともに、絞り部３と吸入流体導入管４が連通しているエジェクタにおいて、流出部２の吐水側に流体の吸入量に応じて流出部２の断面積よりも小さくした縮径部５が設けられている。縮径部５の下流に縮径部５から吐水される液体の流れを遮る邪魔板を配置することができる。【選択図】図１
2018178944.tif 000002
【特許請求の範囲】
【請求項１】
高圧の液体が流入する流入部と、液体を流出する流出部が管状に形成されるとともに、長手方向に直線状に配置され、前記流入部と前記流出部の結合部分に前記流入部および前記流出部の長手方向に直交する断面積よりも小さい断面積を有する絞り部が形成され、      前記絞り部に吸入される流体を導入する、流量調整弁を備えない吸入流体導入管が接続されるとともに、前記絞り部と前記吸入流体導入管が連通しているエジェクタの吸入量の調整方法において、
前記流出部の吐水側の断面積を前記流出部の前記断面積よりも設定された前記流体の吸入量に応じて小さくすることを特徴とするエジェクタの吸入量の調整方法。
【請求項２】
高圧の液体が流入する流入部と、液体を流出する流出部が管状に形成されるとともに、長手方向に直線状に配置され、前記流入部と前記流出部の結合部分に前記流入部および前記流出部の長手方向に直交する断面積よりも小さい断面積を有する絞り部が形成され、前記絞り部に吸入される流体を導入する、流量調整弁を備えない吸入流体導入管が接続されるとともに、前記絞り部と前記吸入流体導入管が連通しているエジェクタにおいて、
前記流出部の吐水側に前記流出部の前記断面積よりも断面積を設定された前記流体の吸入量に応じて小さくした縮径部が設けられていることを特徴とするエジェクタ。
【請求項３】
前記縮径部の下流に前記縮径部から吐水される液体の流れを遮る邪魔板を配置したことを特徴とする請求項２に記載のエジェクタ。
【発明の詳細な説明】
【技術分野】
【０００１】
本発明は、液体が流れる際の自吸効果を利用し、液体中に液体または気体等の流体を吸入させるエジェクタにおいて、吸入する流体を供給する吸入流体導入管に流量調整弁を用いないエジェクタの吸入量の調整方法およびその方法に使用するエジェクタに関する。
【背景技術】
【０００２】
マイクロバブル吐水ノズル（特許文献１）、液注入ノズル（特許文献２）、マイクロバブル発生装置（特許文献３）、水素水製造装置（特許文献４）、便器洗浄装置（特許文献５）にエジェクタが利用され、エジェクタは、液体が流れる際の自吸効果を利用して液体中に流体が吸入される。
【０００３】
図３において、一般的なベンチュリータイプのエジェクタは、管状に形成されるとともに、高圧の液体が流入する流入部１と、液体を流出する流出部２が長手方向に直線状に配置され、流入部１と流出部２との結合部分には、流入部１および流出部２の断面積よりも小さい断面積を有する絞り部３が形成されている。絞り部３には吸入される流体を導入する吸入流体導入管４が連通している。
【０００４】
図３中のＦ１は絞り部の断面、Ｆ２は流出部の断面を示し、吸入流体導入管４には、流量調整手段として流量調整弁（図示せず）を備え、流量調整弁を調整して一定量の流体を吸入させる。
【０００５】
前記の構成により、流入部１から流入した液体が絞り部３を介して流出部２へと噴出される際に、絞り部３に負圧が生じ、いわゆるベンチュリー管現象によって吸入流体導入管４から絞り部３に流体が吸入されて、エジェクタを流れる液体に混合される。
【先行技術文献】
【特許文献】
【０００６】
【特許文献１】特開２００１−０５８１４２号公報（図１）
【特許文献２】特開２００７−２９６４８６号公報（図１）
【特許文献３】特開２００６−１６７６１２号公報（図４）
【特許文献４】特開２０１６−１５５０８０号公報（図５）
【特許文献５】特開２０１２−１０７３９０号公報（図１）
【発明の開示】
【発明が解決しようとする課題】
【０００７】
前記特許文献に記載されたエジェクには、吸入される流体を導入する吸入流体導入管に流体の吸入量を調整するために流量調整弁が取り付けられており、そのため装置が大型化するとともに、構造が複雑になっていた。
【０００８】
そこで、本発明は、流体の吸入量を調整するためにエジェクタに接続されている吸入流体導入管に取り付けられる流量調整弁をなくしても注入量調整を可能にすることでエジェクタを備えた装置をコンパクト化出来るエジェクタの吸入量の調整方法およびその方法に使用するエジェクタを提供するものである。
【課題を解決するための手段】
【０００９】
本願請求項１の発明は、高圧の液体が流入する流入部と、液体を流出する流出部が管状に形成されるとともに、長手方向に直線状に配置され、前記流入部と前記流出部の結合部分に前記流入部および前記流出部の長手方向に直交する断面積よりも小さい断面積を有する絞り部が形成され、前記絞り部に吸入される流体を導入する、流量調整弁を備えない吸入流体導入管が接続されるとともに、前記絞り部と前記吸入流体導入管が連通しているエジェクタの吸入量の調整方法において、前記流出部の吐水側の断面積を前記流出部の前記断面積よりも設定された前記流体の吸入量に応じて小さくすることを特徴とするエジェクタの吸入量の調整方法である。
【００１０】
本願請求項２の発明は、高圧の液体が流入する流入部と、液体を流出する流出部が管状に形成されるとともに、長手方向に直線状に配置され、前記流入部と前記流出部の結合部分に前記流入部および前記流出部の長手方向に直交する断面積よりも小さい断面積を有する絞り部が形成され、前記絞り部に吸入される流体を導入する、流量調整弁を備えない吸入流体導入管が接続されるとともに、前記絞り部と前記吸入流体導入管が連通しているエジェクタにおいて、前記流出部の吐水側に前記流出部の前記断面積よりも断面積を設定された前記流体の吸入量に応じて小さくした縮径部が設けられていることを特徴とするエジェクタである。
【００１１】
本願請求項３の発明は、前記縮径部の下流に前記縮径部から吐水される液体の流れを遮る邪魔板を配置したことを特徴とする請求項２に記載のエジェクタである。
【発明の効果】
【００１２】
本発明のエジェクタは、吐水側を縮流させることにより背圧（バックプレッシャー）を与え、背圧を加減することにより吸入する流体の吸入量を調整するので、吸入流体導入管に流量調整弁を設ける必要がなく、エジェクタを含む装置をコンパクトすることが可能になる。
【００１３】
また、吸入流体導入管に流量調整弁を設ける必要がないので、組立が簡単になるとともに、製造コストを低減させることができる。
【図面の簡単な説明】
【００１４】
【図１】エジェクタに本発明を組み入れたエジェクタの構造を示す図である。
【図２】本発明の別実施例のエジェクタの構造を示す図である。
【図３】一般的なベンチュリータイプのノズルの概略図である。
【発明を実施するための最良の形態】
【００１５】
＜実施例１＞
本実施例は、液体が流れる配管途中に配置するエジェクタの例である。図１において、エジェクタは、管状に形成され、高圧の液体が流入する流入部１と、液体を流出する流出部２が長手方向に直線状に配置されている。流入部１と流出部２との結合部分に流入部１および２流出部の長手方向に直交する断面積Ｆ２よりも小さい断面積Ｆ１を有する絞り部３が形成されている。
【００１６】
絞り部３には、吸入される流体を導入する吸入流体導入管４が接続され、吸入流体導入管４は絞り部３に連通している。本発明では、吸入流体導入管４に流量調整弁を備えないのが特徴である。
【００１７】
吸入流体導入管４に流量調整弁を設けないため、本発明では、流出部２の吐水側に、設定された前記流体の吸入量に応じて流出部２の内径より小さい径に縮径して縮径部５を設け、縮径部５の断面積Ｆ２’を流出部２の断面積Ｆ２よりも小さくする。
【００１８】
本実施例のエジェクタに高圧の液体を流すと、図１のエジェクタと同様に絞り部３に発生する負圧によって吸入流体導入管４から絞り部３に流体が吸入されるが、絞り部３下流の流出部２の吐水側に設けた縮径部５によってノズル内部の負圧は弱められ、吸入流体導入管４から吸入される流体の量がより少なくなる。
【００１９】
つまり、同一構造のエジェクタの吸入量は絞り部の断面積と縮径部５の断面積の比率によって決まるので、設定された前記流体の吸入量に応じて吐水側の断面比率を変えることで吸入流体導入管４からの吸入量調整が可能となり、その結果、吸入流体導入管４に流量調整弁を設ける必要がなくなる。
【００２０】
＜実施例２＞
本実施例は、例えば、液体をエジェクタから直接大気中に吐水する場合でも使用可能となるエジェクタである。実施例１のエジェクタのように液体が流れる配管の途中にエジェクタの流入部１と流出部２が接続されて縮径部５の後段に圧力損失を生じるような場合は流出部２の内部は液体で満たされ背圧がかかるため問題はない。
【００２１】
しかしながら、エジェクタの吐水側からそのまま大気中に吐水すると、絞り部３から導入された液体は縮径部５をそのまま抜けていき、流出部２内部は液体で満たされないので、背圧がかからなくなってしまう。このため、エジェクタ効果が得られずに吸入流体導入管４から流体が吸入されなくなる。
【００２２】
そこで、エジェクタの吐水側からそのまま大気中に吐水するエジェクタは、図２に示すように、縮径部５の後段に吐水される液体の流れを一旦遮る遮蔽板６を設ける。
【００２３】
遮蔽板６で液体を一旦遮ることにより、流出部２の内部は液体で満たされるので、配管の途中に設置した場合と同じように負圧を生じて流体を吸入させながら、遮蔽板６に形成させた複数の吐水孔７から大気中に吐水させることが可能となる。
【符号の説明】
【００２４】
１：流入部
２：流出部
３：絞り部
４：吸入流体導入管
５：縮径部
６：遮蔽板
７：吐水孔
【図１】
2018178944.tif 000003
【図２】
2018178944.tif 000004
【図３】
2018178944.tif 000005